(57)【要約】【課題】畜糞等の有機性廃棄物を効率よく堆肥化する有機性廃棄物の攪拌機構を提供する。【解決手段】畜糞等の有機性廃棄物を微生物によって堆肥化させる移動式堆肥化処理装置において、該装置に搭載され、軸回りを回動する円筒状の第１の回動機構と、該第１の回動機構に装着され回動伝達機構を介し、前記第１の回動機構と連動し同じ方向に回動する第２の回動機構と、該第２の回動機構に装着され前記有機性廃棄物を攪拌する攪拌部材とから構成され、前記攪拌機構は、前記移動式堆肥化処理装置の移動方向に回動する。【選択図】        図１
2007119283.tif 000002
【特許請求の範囲】
【請求項１】
畜糞等の有機性廃棄物を微生物によって堆肥化させる移動式堆肥化処理装置において、該装置に搭載され、軸回りを回動する円筒状の第１の回動機構と、該第１の回動機構に装着され回動伝達機構を介し、前記第１の回動機構と連動して所定の回転数にて同じ方向に回動する第２の回動機構と、該第２の回動機構に装着され前記有機性廃棄物を攪拌する攪拌部材とから構成される有機性廃棄物の攪拌機構。
【請求項２】
前記攪拌機構は、前記移動式堆肥化処理装置の移動方向に回動することを特徴とする請求項１記載の有機性廃棄物の攪拌機構。
【請求項３】
前記回動伝達機構は、前記円筒状の第１の回動機構に設けられ軸に固定された歯車と、該歯車と歯合する第１の歯車と、該第１の歯車に併設された第２の歯車と、該第２の歯車に張設すると共に前記第２の回動機構に回動を伝達するチェーンとから構成されることを特徴とする請求項１又は２記載の有機性廃棄物の攪拌機構。
【発明の詳細な説明】
【技術分野】
【０００１】
本発明は、畜糞等の有機性廃棄物を微生物によって分解し発酵させ堆肥化させる移動式堆肥化処理装置において、とくに構造が簡単で有機性廃棄物の早い堆肥化処理を可能とする有機性廃棄物の攪拌機構に関するものである。
【背景技術】
【０００２】
従来より大量の生ゴミや畜糞等の有機性廃棄物を微生物によって分解し、発酵させて堆肥とする処理装置が数多く提案され、実用化されている。これらの処理装置においては、攪拌を必要とする被処理物を堆積した細長い溝状の処理槽の上を長手方向に走行することのできる架台と、前記架台の走行方向に直角に前記架台上に軸受された回転軸と、前記回転軸に互いにほぼ等間隔かつほぼ等位相角差に前記回転軸から半径方向に突出して固着されその先端が前記処理槽のほぼ底面に達する複数個の攪拌用ブレードと有する走行攪拌機が使用されている（特許文献１参照。）。
【０００３】
しかしながら、上記の従来の走行攪拌機では、複数個の攪拌用ブレードが直接回転軸に固着され、回転軸の回転により攪拌用ブレードが有機性廃棄物を攪拌するものであるが、攪拌用ブレードが大きく回転時に負荷が係るため、回転数を上げることができず、有機性廃棄物は大まかに攪拌されるため、有機性廃棄物と微生物とが充分に接触できず処理槽内の微生物による発酵にムラが生じ、堆肥化が遅くなるという問題点があった。
【０００４】
これに対し、移動式攪拌機の、微生物と生ゴミや畜糞を攪拌するための、従来のメインの攪拌羽根とは別に、固まりとなった生ゴミや畜糞を小さく粉砕するサブの攪拌羽根を設けた移動式攪拌機が提案されている（特許文献２参照。）。
【０００５】
【特許文献１】特公昭５３−３８８２０号公報
【特許文献２】特開２００５−１１１４６６号公報
【発明の開示】
【発明が解決しようとする課題】
【０００６】
しかしながら、上記特許文献２に提案されている有機性廃棄物の攪拌機構の場合、メインの攪拌羽根で掻き上げられた生ゴミや畜糞をさらにサブの攪拌羽根によって高速に攪拌するものであるが、サブの攪拌羽根によって攪拌されるのは前記メインの攪拌羽根によって掻き上げられ蓄積された生ゴミや畜糞の表面層に限られ、処理槽の内部までの充分な攪拌はできないという問題点や、サブの攪拌羽根による高速攪拌によって生ゴミや畜糞等が飛散する問題点があった。
【０００７】
しかも、メインの攪拌羽根の攪拌とは別にサブの攪拌羽根の攪拌を行なう必要があるため、駆動機構が複雑となり高価となるという問題点もあった。
【０００８】
本発明は、上記の問題点に鑑みなされたもので、畜糞等の有機性廃棄物を効率よく攪拌して早い堆肥化処理を可能とし、構造が簡単で安価な有機性廃棄物の攪拌機構を提供することを目的とする。
【課題を解決するための手段】
【０００９】
このため本発明の有機性廃棄物の攪拌機構は、畜糞等の有機性廃棄物を微生物によって堆肥化させる移動式堆肥化処理装置において、該装置に搭載され、軸回りを回動する円筒状の第１の回動機構と、該第１の回動機構に装着され回動伝達機構を介し、前記第１の回動機構と連動して所定の回転数にて同じ方向に回動する第２の回動機構と、該第２の回動機構に装着され前記有機性廃棄物を攪拌する攪拌部材とから構成されることを第１の特徴とする。
【００１０】
また、前記攪拌機構は、前記移動式堆肥化処理装置の移動方向に回動することを第２の特徴とする。
【００１１】
さらに、前記回動伝達機構は、前記円筒状の第１の回動機構に設けられ軸に固定された歯車と、該歯車と歯合する第１の歯車と、該第１の歯車に併設された第２の歯車と、該第２の歯車に張設すると共に前記第２の回動機構に回動を伝達するチェーンとから構成されることを第３の特徴とする。
【発明の効果】
【００１２】
本発明による有機性廃棄物の攪拌機構によれば、軸回りを回動する円筒状の第１の回動機構の回動に連動して第２の回動機構が所定の回転数にて同じ方向に回動し、該第２の回動機構に設けられた攪拌部材によって畜糞等の有機性廃棄物を攪拌するため、有機性廃棄物が固まることなく攪拌されるため微生物と有機性廃棄物とがムラなく混合され、微生物による分解、発酵が迅速に行なわれ早い堆肥化処理ができるという優れた効果を有する。
【００１３】
また、前記攪拌機構は、前記移動式堆肥化処理装置の移動方向に回動し、しかも回動方向と同じ方向に攪拌部材によって攪拌するため有機性廃棄物が飛散することがないという効果を有する。
【００１４】
さらに、前記回動伝達機構は、前記円筒状の第１の回動機構に設けられ軸に固定された歯車と、該歯車と歯合する第１の歯車と、該第１の歯車に併設された第２の歯車と、該第２の歯車に張設すると共に前記第２の回動機構に回動を伝達するチェーンとから構成され、第１の回動機構の回動に連動して第２の回動機構を同じ方向に回動させることが可能であり、しかも前記第１の歯車、第２の歯車等の歯数の設定によって所望の第２の回動機構の回転数が得られるという優れた効果を有する。
【発明を実施するための最良の形態】
【００１５】
以下、本発明の有機性廃棄物の攪拌機構を実施例に基づいて説明するが、本発明が本実施例に限定されないことは言うまでもない。図１は本発明の一実施例に係る有機性廃棄物の攪拌機構の斜視説明図、図２は図１の側面説明図である。
【実施例】
【００１６】
図１、２に示すように、本発明に係る有機性廃棄物の攪拌機構１は、円筒状のボデー鋼管２と、ボデー鋼管２の長手方向中心部を挿通するメインシャフト３と、ボデー鋼管２内に配置されメインシャフト３に固定されたべベルギア６と、ボデー鋼管２の円筒側面に形成された開口部２１を介してべベルギア６と歯合するピニオンギア７と、ピニオンギア７と同軸に配置されたスプロケット８と、チェーン１１を介してスプロケット８の回動を伝達するスプロケット１０と、スプロケット１０を軸支するサブシャフト１３と、サブシャフト１３の軸方向に螺旋状に配置された複数の攪拌部材１２とから構成され、モーター１４の駆動がチェーン１５によりギア４に伝達されボデー鋼管２の回動と連動して攪拌部材１２も回動し有機性廃棄物を攪拌する。
【００１７】
ここで、ボデー鋼管２は軸方向両端部にメインシャフト３を保持するベアリング５が設けられメインシャフト３を中心として回動自在とされ、メインシャフト３の両端部は移動式架台１６に固定される。ベベルギア６はメインシャフト３に固定されボデー鋼管２の回動に連動せず回動不能とされ、またピニオンギア７はボデー鋼管２の円筒側面に固定されたベアリング９に軸承され、ボデー鋼管２の回動に伴いベベルギア６と歯合した状態でボデー鋼管２と同じ方向に回動し、ピニオンギア７と同軸に配置されたスプロケット８もピニオンギア７と同じ方向に回動する。そしてスプロケット８の回動はチェーン１１を介してスプロケット１０に伝達され攪拌部材１２はサブシャフト１３と共にボデー鋼管２と同じ方向に回動する。尚、上記のベアリング９、ベベルギア６、ピニオンギア７、スプロケット８、１０、チェーン１１、は図示しない鋼製のカバーによって一体に覆われ、該カバーの上部所定位置にてサブシャフト１３は軸支される。
【００１８】
上記の構成からなる攪拌機構１は、移動式堆肥化処理装置の移動式架台１６に搭載され、畜糞等の有機性廃棄物や堆肥化に使用される微生物が投入され堆肥化処理槽に設置された軌道上を移動する。そして移動式堆肥化処理装置の移動に伴い、モーター１４の駆動によってボデー鋼管２が前記移動方向と同じ方向に回動し、ボデー鋼管２と連結する鋼製カバー、攪拌部材１２、サブシャフト１３が同じ方向に一体に回動し有機性廃棄物を攪拌する。さらにピニオンギア７がベベルギア６と歯合したままベベルギア６の周方向に回動し、ピニオンギア７と同軸に配置されたスプロケット８の回動がチェーン１１を介してスプロケット１０に伝達され攪拌部材１２が回動し、有機性廃棄物をさらに攪拌し微生物による堆肥化を促進する。
【００１９】
上記の攪拌機構１において、ボデー鋼管２の回動速度はモーター１４、ギア比の設定によって種々選択が可能であり、畜糞等の有機性廃棄物の投入量、堆肥化処理槽の容量、周囲の温度等によって適切に設定がなされる。またボデー鋼管２の回動と攪拌部材１２の回動とが同じ方向であり、しかも異なる回動速度に設定可能であるため畜糞等の有機性廃棄物が攪拌される際に飛散することなく万遍なく攪拌処理が可能である。ここで、攪拌機構１に併設して堆肥化に必要な微生物の成育環境に最適な酸素量、温度等を調整可能な加温送風機構を備えるとより早い堆肥化が促進される。尚、本実施例においてはモーターによる駆動を例としたが、他の駆動方式（油圧機構等）であってもよくモーターに限定されるものではない。
【００２０】
攪拌部材１２の形状は特に限定されないが、畜糞等の攪拌の場合抵抗が少なくするような薄厚保形状のものが望ましく、サブシャフト１３に取り付ける際には、等間隔、等角度にて螺旋状に配置し、溶接などによって強固に接合される。
【００２１】
以上の構成からなる本発明の有機性廃棄物の攪拌機構によれば、畜糞等の有機性廃棄物が投入された堆肥化処理槽に設置された軌道上を移動しながら、移動方向と同じ方向に回動して攪拌を行い、しかも攪拌部材も同じ方向に回動するため畜糞等が飛散することなく堆肥化処理槽の内部まで万遍なく攪拌処理が可能であり、微生物による分解、発酵が迅速に行なわれ、早い堆肥化処理ができる。
【００２２】
また、ボデー鋼管と各種ギアとを組合せて同一の駆動装置の駆動でボデー鋼管の回動と攪拌部材の回動を同一とすることができるため構造が簡単であり、付帯設備を必要としないため安価に出来る。
【産業上の利用可能性】
【００２３】
本発明による攪拌機構によれば、畜糞等の有機性廃棄物に限らず粘性の高い食材等の被混合物の攪拌装置として好適に使用できる。
【図面の簡単な説明】
【００２４】
【図１】本発明の一実施例に係る有機性廃棄物の攪拌機構の斜視説明図である。
【図２】図１の側面説明図である。
【符号の説明】
【００２５】
１        攪拌機構
２        ボデー鋼管
３        メインシャフト
４        ギア
５、９    ベアリング
６        べベルギア
７        ピニオンギア
８、１０  スプロケット
１１、１５  チェーン
１２        攪拌部材
１３        サブシャフト
１４        モーター
１６        移動式架台
２１        開口部
【図１】
2007119283.tif 000003
【図２】
2007119283.tif 000004